(57)【要約】【課題】  従来のペット用トイレは、トイレシーツ部分の上でペットが暴れたり、シーツを引っ掻いたりすれば、簡単にシーツがズレたり破れたりした。  簡単にズレたり破れては、トイレの役割が十分に果たせず破れた破片が飛び散る等もし不衛生で、破れる度に取り替えていては不経済であった。【解決手段】  上ぶたとトレイとの止め具をフック式の圧着力の高いものにし、その数を３箇所以上設け、更に上ぶたの裏面の内周にはゴムパッキンを設け、その外周には、くしの髪の毛をとく部分の様な目の細かいギザギザを施した。  そして、トレイの上にトイレシーツを置き、その上にシーツと同サイズの四辺に縫い目を入れる等のほぢけ防止加工のした網戸用の網を置いてから上ぶたを閉じ、フック式の止め具により圧着固定することで、ゴムパッキン及び細かいギザギザ、そして網とが効果を発揮しあって、トイレシーツのズレ及び破れを確実に防止することができる。【選択図】  図１
2006166888.tif 000002
【特許請求の範囲】
【請求項１】
上ぶた裏面の内周全体にゴムパッキンを設け、そのゴムパッキンの外周全体にくしの髪の毛をとく部分の様な目の細かいギザギザを施し、且つ、よりゴムパッキンの効果を最大に発揮するため、上ぶたとトレイとの圧着力を高める、フック式の止め具を用いたペット用のトイレ。
【請求項２】
トレイにトイレシーツを置き、更にその上に、トイレシーツと同サイズの四辺にほちけ防止加工を施した網戸用の網を置いてから、上ぶたで圧着固定するペット用のトイレ。
【発明の詳細な説明】
【技術分野】
【０００１】  この発明は、トイレシーツがズレたり、破れたりしないペット用トイレに関する発明である。
【背景技術】
【０００２】  従来のペット用トイレは、紙オムツの様な生地のトイレシーツ９をトレイ２と上ぶた１の間に挟み、上ぶた１とトレイ２を固定する止め具４の数が、１箇所もしくは２箇所の物であった。
【発明の開示】
【発明が解決しようとする課題】
【０００３】  上記のような従来のペット用トイレでは上ぶたとトレイとでトイレシーツを挟む力が弱いため、ペットがトイレシーツの上で暴れるとトイレシーツがズレてしまうことが、頻繁にあった。
そして、トイレシーツ自体が紙オムツの様な生地なので、ペットがトイレシーツの上で暴れたり、トイレシーツを引っ掻いたりした際には、簡単にトイレシーツが破れた。
通常、トイレシーツは破れていなければ毎日、もしくは汚れに応じて取り替えるものだが、ペットがトイレシーツの上で暴れたり引っ掻いたりしてトイレシーツが破れたため、トイレシーツの取り替え時期よりも早く取り替えねばならないことが頻繁にあり、その度にトイレシーツを交換すれば不経済であった。
また、トイレシーツが破れれば糞尿の染み付いたシーツの破片及び、シーツ内部の吸収体の破片が飛び散ることになり、掃除の手間がかかり、不衛生でもあった。
この発明は、このような従来のペット用トイレが有していた問題を解消することを目的としたものである。
【課題を解決するための手段】
【０００４】  まず、上ぶた１とトレイ２との止め具４を、圧着力を高めるために、フック部を引っかけてから取っ手部４Ａを下方に押し下げることで圧着固定が出来、取っ手部４Ａを上方へ持ち上げることで、固定を解除出来るフック式のものにし、その数を３箇所もしくは４箇所設けた。
そして、上ぶた１裏面の内周全体にゴムパッキン５を設け、そのゴムパッキン５の外周全体に、くしの髪の毛をとく部分の様な細かいギザギザ６を施した。
また、トレイ２の上にトイレシーツ９を置き、更にトイレシーツ９の上には、トイレシーツ９と同サイズの四辺にほちけ防止加工７を施した網戸用の網８を置いてから、上ぶた１で挟んで止め具４にて圧着固定するという方法。
【発明の効果】
【０００５】  フック式の止め具とゴムパッキンにより、トイレシーツの上でペットが暴れた際に起こる、トイレシーツのズレが確実に治まった。
網戸用の網を利用することで、トイレシーツは破れることがなくなり、トイレシーツの通常の取り替え時期まで使用でき、また網は、汚れを洗い流すことができ、網目に緩みが生じ機能しなくなるまで使い続けられるので、衛生的、且つ経済的になった。
トイレシーツが破れなくなったので、糞尿の染み付いたシーツやシーツ内部の吸収体の破片が飛び散るようなことがなくなり、掃除が楽になり衛生的にもなった。
網戸用の網は、トイレシーツの取り替え時にシーツの上に置いてから、上ぶたを閉じて固定するだけなので、網を使用しない時との手間の差がほとんど変わらないのに、効果は絶大である。
網は、四辺にほちけ防止加工を施した網戸用の網を用いているので、耐久性があるのに多少の柔軟性もあり、金属製の網等の堅い材質のものとは違い、ペットが爪で引っ掻いても爪への負担が軽い。
網戸用の網は目が非常に細かいので、余程尖った爪でないと爪が引っ掛かりにくく、繊維１本１本が細いので、尿が網を素早く通過し、トイレシーツに確実に吸収させる。
網戸用の網は、金属製や布製のものとは違い水に強く、すぐに乾くので、汚れを何度でも洗い流すことができ、衛生面でも優れた効果を発揮することができる。
【発明の実施するための最良の形態】
【０００６】  上ぶた１裏面内周全体に設けた弾性体がゴムパッキン５であることにより、ゴムの滑り止めの効果と、フック式止め具４による圧着力をゴムパッキン５がより高める効果との２つの効果が得られる。
ペット用トイレの上でペットが暴れたり、トイレシーツ９を引っ掻いたりした際に、上ぶた１とトレイ２との間に挟まれたトイレシーツ９及び網８のズレようとする力が、まず先に上ぶた１裏面の内周に設けたゴムパッキン５にかかり、ゴムパッキン５がズレを防止する。
そして、３箇所以上のフック式止め具４により、トイレシーツ９及び四辺に縫い目等のほちけ防止加工７を施した網戸用の網８を、上ぶたとトレイの間で確実に圧着固定できるため、ズレを確実に生じさせない。
次に、ゴムパッキン５の外周全体に設けてあるくしの髪の毛をとく部分の様な細かいギザギザ６に、網８の網目が引っ掛かることで、強い力が網８にかかっても、網８を確実にズレずに固定できる。
また、ズレようとする力が、まず先にゴムパッキン５で弱められてから、くしの髪の毛をとく部分の様な細かいギザギザ６に網目が引っ掛かるので、ズレが確実に生じないだけでなく、網目とギザギザの接点部分への負担が軽減され、網８の耐久性が向上する。
網戸用の網８は、金属製や布製のものとは違い水に強く、すぐに乾くので、汚れを何度でも洗い流すことができ、四辺に縫い目を入れる等のほちけ防止加工７を施しているので、衛生的かつ耐久性にも優れ経済的である。
網戸用の網８は、耐久性はあるが汚れを洗い流しながら、何度か使用すれば網目も緩んでくる。しかし、金属製等の物とは違い、消耗品として手軽に交換ができる安価な物なので、衛生管理の徹底ができる。
網戸用の網８は目が非常に細かいので、余程尖った爪でないと爪が引っ掛かりにくく、爪が引っ掛かっても柔軟な物なので爪への負担が軽い。
また、網戸用の網８は繊維１本１本が細いので、尿が網８を素早く通過し、トイレシーツ９に確実に吸収させる。
なお、引っ掻きグセがなくトイレシーツ９を破ることのないペットの場合には、網８を使用しないで、トイレシーツがズレないトイレとしてだけででも利用できる。
また、網は網戸用の網８のように柔軟、且つ吸水しないビニール製等で繊維１本１本が細く網目も細かくほちけにくい物であれば、網戸用の網に限らない。
そして、上ぶた１と同素材で一度の型で造形出来るのであれば、上ぶた裏面に設けたゴムパッキン５の代わりに板バネ等の弾性体を採用して、コストダウンを図ることも可能である。
図６では止め具４の数が４箇所の場合の実施例を示している。
【図面の簡単な説明】
【０００７】
【図１】  本発明のペット用トイレの斜視図である。
【図２】  同トイレの側面図である。
【図３】  同トイレの上ぶた裏面の平面図である。
【図４】  同トイレの止め具部分拡大側面図である。
【図５】  本発明の網の平面図である。
【図６】  本発明の他の実施例を示す平面図である。
【図７】  本発明のペット用トイレに網とトイレシーツをセットする際の斜視図である。
【符号の説明】
【０００８】１  上ぶた    ２  トレイ    ３  トイレ部分    ４  止め具    ４Ａ  止め具取っ手
５  ゴムパッキン    ６  くしの髪の毛をとく部分の様な細かいギザギザ
７  縫い目等によるほちけ防止加工
８  ほちけ防止加工を施したトイレシーツと同サイズの網戸用の網
９  トイレシーツ
【図１】
2006166888.tif 000003
【図２】
2006166888.tif 000004
【図３】
2006166888.tif 000005
【図４】
2006166888.tif 000006
【図５】
2006166888.tif 000007
【図６】
2006166888.tif 000008
【図７】
2006166888.tif 000009